(57)【特許請求の範囲】
【請求項１】
小口揃え位置に配置された冊子の小口を揃える断裁機の小口揃え装置であって、前記冊子の背を揃える背ガイドと、駆動力が付与され同一方向に回転する第１のリンク手段と、第１のリンク手段と同一方向および反対方向に回転する第２のリンク手段と、前記第１のリンク手段と第２のリンク手段に連結されて旋回動作と直線状の移動動作が付与される揃え板とを備え、前記第１のリンク手段と第２のリンク手段を互いに反対方向に回転して揃え板を前記冊子の小口に接近させてから、前記第２のリンク手段を第１のリンク手段と同一方向に回転させて揃え板を前記冊子の小口に当接させ、当該冊子の小口に背ガイド方向への水平方向の押圧力を作用させることを特徴とする断裁機の小口揃え装置。
【請求項２】
前記揃え板は、冊子の小口との接触面にブラシを取り付けたことを特徴とする請求項１に記載の断裁機の小口揃え装置。
【発明の詳細な説明】
【０００１】
【発明の属する技術分野】
本発明は、小口揃え位置に配置された冊子の断裁前の小口を、簡単にしかも美麗に揃えることができる断裁機の小口揃え装置に関するものである。
【０００２】
【従来の技術】
製本工程においては、所定枚数積層した用紙の背面を揃えてから糊付けして無線綴じを行ない、更に表紙を接着して冊子を形成する場合がある。このようにして形成された冊子は、断裁機に設けた小口刃により小口を断裁して端面を切り揃え、次工程に移送される。
【０００３】
また、小口刃と共に天地刃を設けた三方断裁機により、冊子の小口と天、地の両側面を断裁して端面を切り揃えることも行なわれている。最近は、製本の処理効率を向上させるため、複数冊の冊子を断裁位置に重ねて積載して、三方断裁機で同時に小口や天、地の両側面を断裁する例が増加している。
【０００４】
このように複数冊重ねた冊子の小口を断裁機により断裁する際に、小口の位置がばらばらとなった状態で断裁すると、各冊子の小口の断裁面が揃わず、製本の品質が低下してしまう。このため、断裁前に予め各冊子の小口を縦方向に整列させて揃えるために小口揃え装置が用いられている。
【０００５】
図８は、従来の小口揃え装置５０の一例を示す概略の側面図である。図８において、テ−ブル５１の小口揃え位置Ｃに複数冊の冊子５２が積載される。各冊子の小口５２ａには縦方向に凹凸が存在している。５３はチャック、５４は各冊子の背面を揃えるための背ガイドである。
【０００６】
５５は揃え板、５６はリンク機構、５５ａはリンク棒５６ａと連結される揃え板５５のア−ム、５６ｂはア−ム５５ａとリンク棒５６ａの連結部、５６ｃはリンク棒５６ａの回転部である。回転部５６ｃに回転力を作用させると、揃え板５５はリンク機構５６の連結部５６ｂを介して駆動力が伝達され、矢視Ｘ方向に旋回し、各冊子の小口５２ａに当接して押圧力を作用させる。冊子の小口にこのような押圧力を作用させることにより、当該冊子の背面を背ガイド５４の方向に移動させる。小口揃え位置Ｃに積載されている各冊子の背面を背ガイド５４の位置で揃えることにより、小口５２ａを縦方向に整列して揃えることができる。
【０００７】
この状態でチャック５３の上側押さえ板５３ａを矢視Ｒ方向に移動させて、下側押さえ板５３ｂとの間で複数冊の冊子５２を挾み、テ−ブル５１上を搬送して断裁位置Ｄに配置する。そして、断裁機の小口刃６０を下降させて、小口５２ａを断裁する。
【０００８】
【発明が解決しようとする課題】
このように、従来の小口揃え装置においては、揃え板を旋回させて冊子の小口を揃えていたが、揃え板は回動運動のみの動作となるので、揃え板の押圧力は小口の上方向から下方向に作用する成分が大きくなり、冊子の背を背ガイド方向に移動させる水平方向の力が十分には作用しない。このため、小口を縦方向に整列して揃えることができないという問題があった。特に、前記のように冊子に表紙が接着されている場合には、表紙の部分が突出しているので、この突出部分が揃え板と接触したときに折り込まれてしまい、冊子の背を背ガイド方向に移動させることができず、小口の揃えができないという問題があった。
【０００９】
また、小口を縦方向に整列させて揃えるために、揃え板に対して旋回運動の他に、図８の矢視Ｙ方向に直線運動を行なわせる機構を設けることも考えられる。しかしながら、揃え板に対して旋回運動と共に直線運動を行なわせる機構を設けると、小口揃え装置の構成が複雑になりコストも高くなるという問題があった。
【００１０】
本発明はこのような問題に鑑み、小口揃え位置に配置された冊子の断裁前の小口を、簡単にしかも美麗に揃えることができる断裁機の小口揃え装置の提供を目的とする。
【００１１】
【課題を解決するための手段】
上記目的は、請求項１に係る発明において、断裁機の小口揃え装置を、小口揃え位置に配置された冊子の小口を揃える断裁機の小口揃え装置であって、前記冊子の背を揃える背ガイドと、駆動力が付与され同一方向に回転する第１のリンク手段と、第１のリンク手段と同一方向および反対方向に回転する第２のリンク手段と、前記第１のリンク手段と第２のリンク手段に連結されて旋回動作と直線状の移動動作が付与される揃え板とを備え、前記第１のリンク手段と第２のリンク手段を互いに反対方向に回転して揃え板を前記冊子の小口に接近させてから、前記第２のリンク手段を第１のリンク手段と同一方向に回転させて揃え板を前記冊子の小口に当接させ、当該冊子の小口に背ガイド方向への水平方向の押圧力を作用させる構成とすることにより達成される。
【００１２】
また、請求項２に係る発明は、請求項１に記載の断裁機の小口揃え装置において、前記揃え板は、冊子の小口との接触面にブラシを取り付けたことを特徴としている。
【００１３】
このように、請求項１に係る発明は、同一方向に回転する第１のリンク手段と、第１のリンク手段と同一方向および反対方向に回転する第２のリンク手段に連結されて、旋回動作と直線状の移動動作が付与される揃え板を具備している。このため、揃え板は第１のリンク手段と第２のリンク手段の回転動作に基づいて、冊子の小口に水平方向から当接して直線状の押圧力を作用させて、冊子の背面を背ガイドの位置で揃えるので、小口を美麗に揃えることができる。
【００１４】
また、請求項２に係る発明は、揃え板は、冊子の小口との接触面にブラシを取り付けている。このため、小口に表紙が突出していたり、複数冊の冊子を積載したときに小口に凹凸が生じているときでも、ブラシが小口面に入り込んだ状態で直線運動を行ない、冊子の背を背ガイドに向けて移動させて背面を背ガイドの位置で揃える。このため、冊子の小口を縦方向で整列して揃えることができる。
【００１５】
【発明の実施の形態】
以下、本発明の断裁装置の実施の形態について図により説明する。図７は、本発明の小口揃え装置が適用される断裁機の概略構成を示す平面図である。図７の例では三方断裁機１に小口揃え装置を設ける構成としている。
【００１６】
図７において、複数冊積載された冊子２は、搬送ベルト３により矢視Ａ方向から、三方断裁機１に搬送されてくる。４ａ、４ｂは冊子の地側側面を押圧する搬送爪、５ａ、５ｂは冊子の小口と背の面を案内するガイドである。複数冊積載された冊子２は、小口揃え装置が設置されているＣの位置で停止する。
【００１７】
前記Ｃの位置で、後述するようにして各冊子の小口が揃えられる。６は背ガイド、７ａ、７ｂは天側ガイド、８はサ−ボモ−タ、９はボ−ルネジ、１０はボ−ルネジ９に取り付けられているチャック、１１は、小口の揃え板である。サ−ボモ−タを駆動すると、連結機構を介してボ−ルネジ９が回動し、チャック１０が矢視Ｂ方向に進行する。
【００１８】
小口揃えの処理が終了すると、複数冊積載された冊子２はチャック１０で挾まれる。この状態でサ−ボモ−タ８を駆動しボ−ルネジ９を回動させる。この際に、各冊子２はチャック１０のＢ方向への移動に伴い、搬送ベルト３による搬送方向Ａとは直交する前記Ｂ方向に移送されて、断裁位置Ｄに配置される。
【００１９】
断裁位置Ｄにおいて、各冊子２は図示を省略しているプレス板で押圧されて移動しないように固定される。ここで、小口刃１２、天地刃１３、１４により、各冊子２の小口と、天、地の両側面が所定位置で断裁される。
【００２０】
図１は、本発明の小口揃え装置２１の概略動作を示す側面図である。図１において、テ−ブルＴ上に複数冊積載された冊子２の背面は背ガイド６で揃えられる。２２は揃え板、２３は小口の凹凸に対応するためのブラシ、２４は第１のリンク機構、２５は第２のリンク機構で、第２のリンク２５機構のリンク棒２５ａは、第１のリンク機構２４のリンク棒２４ａよりも長い構成としている。
【００２１】
２２ａは第１のリンク棒２４ａ、第２のリンク棒２５ａと連結される揃え板２２のア−ムである。また、２４ｂは第１のリンク棒２４ａとア−ム２２ａとの連結部、２４ｃは第１のリンク棒２４ａの回転部、２５ｂは第２のリンク棒２５ａとア−ム２２ａとの連結部、２５ｃは第２のリンク棒２５ａの回転部である。前記回転部２４ｃに駆動源を連結して駆動力が付与され、回転部２５ｃは自由回転できる構成としている。
【００２２】
本発明の小口揃え装置２１においては、前記第１のリンク機構２４から伝達される駆動力により、第２のリンク機構２５が従動して動作し、このような第１のリンク機構２４と第２のリンク機構２５との動作により、揃え板２２が旋回動作と共に直線状の移動動作も行なう構成としている。すなわち、揃え板２２は矢視Ｐ方向の旋回運動により、Ｓ１、Ｓ２、Ｓ３の位置へ移動して次第に冊子２の小口に接近する。
【００２３】
更に、揃え板２２はＳ３の位置から旋回しつつ矢視Ｑに示すように直線状に移動して、Ｓ４の位置に移動する。すなわち、各冊子の小口との当接位置では揃え板２２はテ−ブルＴと平行な矢視Ｑ方向から移動する。このため、各冊子の小口にテ−ブルＴと平行な矢視Ｑ方向、すなわち水平方向の押圧力を作用させる。このため、各冊子の背を等しく背ガイドに接触させ、小口を縦方向に整列させて美麗に揃えることができる。
【００２４】
冊子の表紙が小口から突出している場合には、揃え板を平面で形成していると、小口揃えの際に揃え板と冊子の小口が平面接触することになる。このように、表紙が小口から突出していると、前記のように表紙の突出部が揃え板で押圧される際にその部分が折れ込んでしまい、矢視Ｑ方向に移送されなくなって、当該冊子の背は背ガイドに接触できなくなることがある。
【００２５】
しかしながら、本発明においては、揃え板２２には冊子の小口との接触面にブラシ２３を設けている。このため、冊子の表紙が小口から突出している場合でも、ブラシ２３の毛根が無線綴じされた各用紙間に入り込み、小口側から均等に冊子を押圧して矢視Ｑ方向に移送することができる。
【００２６】
また、それぞれの冊子の表紙が小口から突出してない場合であっても、各冊子の小口の位置が縦方向に整列されず、小口面が凹凸のある状態で複数の冊子が積載されていることがある。このような場合でも、前記のようなブラシ２３の作用により、各冊子の小口面の凹凸状態を解消して各冊子の小口を確実に縦方向に整列させることができる。
【００２７】
図１の小口揃え装置の動作について、図２図〜図５の側面図により説明する。図２の初期状態では、小口揃え位置Ｃには、各小口２ａが縦方向に凹凸のある状態で、複数冊の冊子２が配置されている。
【００２８】
図２において、第１のリンク棒２４ａ、第２のリンク棒２５ａはほぼ平行な位置で配置されている。このときに、第１のリンク棒２４ａとア−ム２２ａとの連結部２４ｂの位置と、第２のリンク棒２５ａとア−ム２２ａとの連結部２５ｂの位置とは、１８０度の角度差をもって配置される。
【００２９】
次に、図３に示すように、第１のリンク棒２４ａは回転部２４ｃが駆動されることにより矢視Ｕ１方向（時計方向）に回動し、回転部２４ｃと連結部２４ｂとがほぼ水平状態となる。また、第２のリンク棒２５ａは、第１のリンク機構２４の回転部２４ｃが駆動されることにより、矢視Ｖ１方向（反時計方向）に回動する。揃え板２２には、第１のリンク棒２４ａ、第２のリンク棒２５ａの前記のような回動作用の合成力で矢視Ｐ１方向に旋回する力が作用し、揃え板２２は小口に接近する。なお、回転部２４ｃは、モ−タ等の適宜の駆動装置に連結されて駆動力が付与される。
【００３０】
更に、図４に示すように、第１のリンク棒２４ａは矢視Ｕ２方向（時計方向）に回動を続行するが、第２のリンク棒２５ａは回転方向が反転して、矢視Ｖ２方向（時計方向）に回動する。このような第１のリンク棒２４ａ、第２のリンク２５の回動動作により、揃え板２２は、矢視Ｐ２方向に旋回すると共に矢視Ｑ１方向に直線状に移動して小口２ａに接近する。
【００３１】
続いて図５に示すように、第１のリンク棒２４ａは矢視Ｕ３方向（時計方向）に回動を続行し、第２のリンク２５ａも矢視Ｖ３方向（時計方向）に回動を続行する。このため、揃え板２２は、水平方向から小口２ａに当接してブラシ２３が小口面に入り込んだ状態で矢視Ｑ１方向に直線状に移動し、冊子の背を背ガイドに向けて移動させて背を背ガイドの位置で揃える。このため、冊子の小口も縦方向で整列されて揃えられる。
【００３２】
図６は、揃え板２２の動作を示す説明図である。図６において、Ｚａは第１のリンク機構２４の回転部２４ｃの位置を示し、Ｚｂは第２のリンク機構２５の回転部２５ｃの位置を示している。
【００３３】
（ａ）は揃え板２２のア−ム２２ａの初期状態の位置を示している。（ｂ）では、第１のリンク機構２４の回転部２４ｃを駆動して、リンク棒２４ａを時計方向にＵａ回転させる。この際に、リンク棒２４ａは連結部２４ｂを引き上げるように力を加える。
【００３４】
このために、第２のリンク機構２５のリンク棒２５ａは、反作用で揃え板２２のア−ム２２ａとの連結部２５ｂに引き下げる方向に引張力を加える。したがって、リンク棒２５ａは回転部２５ｃを中心として反時計方向にＶａ回転する。
【００３５】
（ｃ）では、リンク棒２４ａを時計方向に更にＵｂ回転させ、回転部２４ｃと連結部２４ｂがほぼ水平の位置になる。リンク棒２５ａは、回転部２５ｃを中心として反時計方向に更にＶｂ回転する。
【００３６】
（ｄ）では、前記（ｃ）の回転部２４ｃと連結部２４ｂがほぼ水平の位置から、リンク棒２４ａを時計方向に更にＵｃ回転させる。このため、ア−ム２２ａに引き上げ方向の力が作用し、リンク棒２５ａは回転部２５ｃを中心として時計方向に反転してＶｃ回転する。
【００３７】
（ｅ）、（ｆ）でリンク棒２４ａを時計方向に更にＵｄ、Ｕｅ回転させると、リンク棒２５ａも時計方向にＶｄ、Ｖｅの回転を続行する。（ｆ）では、回転部２４ｃと連結部２４ｂがほぼ垂直の位置になり、また、回転部２５ｃと連結部２５ｂもほぼ垂直の位置になる。すなわち、（ｆ）の状態では、揃え板２２は水平方向から小口２ａに接近して当接するように動作する。
【００３８】
（ｇ）では、リンク棒２４ａを時計方向に更にＵｆ回転させ、リンク棒２５ａも時計方向にＶｆ回転させる。この際に、ア−ムにはＱ方向、すなわち直線方向の引張力が加えられる。したがって、小口２ａに当接した揃え板２２は、冊子を背ガイド方向に移動させる直線状の押圧力を作用させることになる。
【００３９】
上記の例では、三方断裁機における小口揃えについて説明したが、本発明の小口揃え装置は、小口のみを断裁する断裁機の小口揃えにも適用できる。また、小口揃え位置に複数冊の冊子を積載する例で説明したが、冊子の冊数は１冊であっても本発明の小口揃え装置を適用することができる。
【００４０】
【発明の効果】
以上説明したように、請求項１に係る発明は、同一方向に回転する第１のリンク手段と、第１のリンク手段と同一方向および反対方向に回転する第２のリンク手段に連結されて、旋回動作と直線状の移動動作が付与される揃え板を具備している。このため、揃え板は第１のリンク手段と第２のリンク手段の回転動作に基づいて、冊子の小口に水平方向から当接して直線状の押圧力を作用させて、冊子の背面を背ガイドの位置で揃えるので、小口を美麗に揃えることができる。
【００４１】
また、請求項２に係る発明は、揃え板は冊子の小口との接触面にブラシを取り付けている。このため、小口に表紙が突出していたり、複数冊の冊子を積載したときに小口に凹凸が生じているときでも、ブラシが小口面に入り込んだ状態で直線運動を行ない、冊子の背を背ガイドに向けて移動させて背面を背ガイドの位置で揃える。このため、冊子の小口を縦方向で整列して揃えることができる。
【図面の簡単な説明】
【図１】本発明の実施の形態に係る小口揃え装置の概略の側面図である。
【図２】図１の小口揃え装置の動作を示す側面図である。
【図３】図１の小口揃え装置の動作を示す側面図である。
【図４】図１の小口揃え装置の動作を示す側面図である。
【図５】図１の小口揃え装置の動作を示す側面図である。
【図６】揃え板の動作を示す説明図である。
【図７】三方断裁機の平面図である。
【図８】従来の小口揃え装置の概略の側面図である。
【符号の説明】
１    三方断裁機
２    複数冊積載された冊子
２ａ  小口
６    背ガイド
１２    小口刃
２１    小口揃え装置
２２    揃え板
２２ａ  ア−ム
２３    ブラシ
２４    第１のリンク機構
２５    第２のリンク機構
Ｔ    テ−ブル
【図１】
0004420529.tif 000002
【図２】
0004420529.tif 000003
【図３】
0004420529.tif 000004
【図４】
0004420529.tif 000005
【図５】
0004420529.tif 000006
【図６】
0004420529.tif 000007
【図７】
0004420529.tif 000008
【図８】
0004420529.tif 000009